(57)【要約】【課題】スライド式携帯端末において、第１の筐体を安定してスライド移動及び縦長状態と横長状態とに切換操作可能に支持する。【解決手段】携帯電話機１（スライド式携帯端末）に、表面に上下方向に長い縦長の液晶ディスプレイ２ａを有する第１の筐体２と、表面に操作部４を有する第２の筐体３と、第１の筐体２を第２の筐体３にスライド自在に支持する支持機構９とを設ける。支持機構９の第２の筐体３側に第１及び第２ガイド軸１１，１２を設け、第１の筐体２側に、第１ガイド軸１１をガイドする第１ガイド孔２１と、第２ガイド軸１２をガイドする第２ガイド孔２２とを設ける。この支持機構９によって、第１の筐体２を第２の筐体３に対して表面から見て時計回りに回転自在に支持する。【選択図】図１
2008193519.tif 000002
【特許請求の範囲】
【請求項１】
表面に上下方向に長い縦長の表示部を有する第１の筐体と、
表面に操作部を有する第２の筐体と、
上記第１の筐体を第２の筐体にスライド自在に支持する支持機構とを備えたスライド式携帯端末であって、
上記支持機構は、
上記第２の筐体側に設けた第１及び第２ガイド軸と、
上記第１の筐体側に設けられ、上記第１ガイド軸をガイドする第１ガイド孔と、
上記第１の筐体側に設けられ、上記第２ガイド軸をガイドする第２ガイド孔と、
を備え、上記第１の筐体を上記第２の筐体に対して表面から見て時計回り又は反時計回りに回転自在に支持している
ことを特徴とするスライド式携帯端末。
【請求項２】
請求項１に記載のスライド式携帯端末において、
上記第１ガイド孔は、上下方向に延びる直線状の孔で構成され、
上記第２ガイド孔は、上記第１ガイド孔に平行な直線部と、該直線部の下端に連続する円弧状の円弧部とを備えている
ことを特徴とするスライド式携帯端末。
【請求項３】
請求項２に記載のスライド式携帯端末において、
上記第１ガイド軸が第１ガイド孔をスライド移動しながら、上記第２ガイド軸が第２ガイド孔の直線部をスライド移動することで、上記第１の筐体が第２の筐体に対して上下方向にスライド移動し、
上記第１の筐体がスライド移動完了した状態で、第２ガイド軸が上記第２ガイド孔の円弧部をスライド移動することで、上記第１の筐体が第２の筐体に対して回転するように構成されている
ことを特徴とするスライド式携帯端末。
【請求項４】
請求項２又は３に記載のスライド式携帯端末において、
上記第１及び第２ガイド孔は、第１の筐体の裏面に固定したガイドプレートに形成されている
ことを特徴とするスライド式携帯端末。
【請求項５】
請求項４に記載のスライド式携帯端末において、
上記第２ガイド軸が第２ガイド孔の円弧部内をスライド移動する際に、第１の筐体の回転の中心となる上記第１ガイド軸を保持するための支点保持部材が設けられている
ことを特徴とするスライド式携帯端末。
【請求項６】
請求項５に記載のスライド式携帯端末において、
上記支点保持部材は、
上記ガイドプレートに連結された中心軸と、
上記第１ガイド軸に係止されるフック部と、
上記第２ガイド軸が係止されるガイド溝とを備え、
上記フック部は、上記第１の筐体がスライド移動する際には上記第１ガイド軸に係合せず、第１の筐体が回転を始めると同時に第１ガイド軸に係合するように構成されている
ことを特徴とするスライド式携帯端末。
【請求項７】
請求項６に記載のスライド式携帯端末において、
上記第２ガイド軸は、上記第１の筐体がスライド移動する際には上記支点保持部材の側面に摺接し、第１の筐体が回転を始めると同時に上記ガイド溝に係合するように構成されている
ことを特徴とするスライド式携帯端末。
【請求項８】
請求項７に記載のスライド式携帯端末において、
上記第１の筐体が回転を始めるときの上記支点保持部材の中心軸を中心とする第１回転角は、第１の筐体の第２回転角よりも大きくなるように構成されている
ことを特徴とするスライド式携帯端末。
【請求項９】
請求項４に記載のスライド式携帯端末において、
上記第１の筐体の縦長状態と横長状態とにおける左右方向中央部が、それぞれ第２の筐体の略左右方向中央に位置している
ことを特徴とするスライド式携帯端末。
【請求項１０】
請求項１乃至９のいずれか１つに記載のスライド式携帯端末において、
上記第１の筐体のスライド移動を補助するねじりコイルバネを有し、該ねじりコイルバネの一端は、上記第１又は第２ガイド軸に回転自在に支持され、他端は上記ガイドプレートに設けたバネ保持用ピンに回転自在に支持されている
ことを特徴とするスライド式携帯端末。
【請求項１１】
請求項１０に記載のスライド式携帯端末において、
上記第１の筐体の上下方向のスライド移動の中間点において、上記ねじりコイルバネが最も圧縮されるように構成されている
ことを特徴とするスライド式携帯端末。
【請求項１２】
請求項１０又は１１に記載のスライド式携帯端末において、
上記支持機構には、第１の筐体が少なくとも縦長状態又は横長状態となるように付勢する回転補助用弾性部材が設けられている
ことを特徴とするスライド式携帯端末。
【請求項１３】
請求項１２に記載のスライド式携帯端末において、
上記回転補助用弾性部材は、上記ねじりコイルバネである
ことを特徴とするスライド式携帯端末。
【請求項１４】
請求項１乃至１３のいずれか１つに記載のスライド式携帯端末において、
携帯電話機である
ことを特徴とするスライド式携帯端末。
【発明の詳細な説明】
【技術分野】
【０００１】
本発明は、携帯電話機やモバイルツール等の、第１の筐体と第２の筐体とがスライド自在に連結されたスライド式携帯端末に関する。
【背景技術】
【０００２】
近年、携帯電話機は、通話機能だけでなく、電子メールの送受信機能、デジタルカメラ機能、録音再生機能、テレビ受信機能、スケジュール管理機能など多数の機能を備えるようになっている。
【０００３】
一方、携帯電話機の主な機能は依然として通話機能であり、また、その携帯性のために小型化、軽量化が商品性の面で重要となっている。また、使い勝手の面を重視して、携帯電話機は、横幅を抑えた縦長形状となっている。
【０００４】
上記携帯電話機の表示部が縦長状態で固定されていると、横長の画像を表示する場合には、縦長の画面に入るように縮小表示するか又は横スクロール操作により画像全体を見るようにしなければならなかった。
【０００５】
例えば、特許文献１のように、第１の筐体がスライド部材によって第２の筐体と連結され、スライド移動自在に構成されたスライド式携帯電話機が知られている。図２８にスライド移動前の携帯電話機１０１を示し、図２９にスライド移動後の携帯電話機１０１を示す。図３０に、この携帯電話機１０１の分解斜視図を示す。第２の筐体１０３は、上下方向に伸びるように一対のレール部材１１０を有し、このレール部材１１０上を第１の筐体１０２の裏面に設けたスライド部材１２０がスライド移動するようになっている。ユーザは、第１の筐体１０２を上方へスライド移動させ、露出した操作部１０４を操作する。この第１の筐体２のスライド前とスライド後のいずれにおいても、液晶ディスプレイ１０２ａは、縦長状態のままであるため、ＴＶ映像等を視聴する際には、第１の筐体１０２が横長状態になるように、携帯電話機１０１を横にして持つ必要性があった。
【０００６】
そこで、携帯電話機を横に持たなくても、横長状態の映像を表示部全面に表示させるものとして、例えば、特許文献２のスライド式携帯電話機が知られている。具体的には、図３１〜図３３に示すように、第１の筐体２０２に回転機構２２０を設け、第２の筐体２０３に対し、第１の筐体２０２を略円弧状に回転させることによって、携帯電話機２０１を横に持たなくても横長状態となった第１の筐体２０２によって、横長状態の映像が液晶ディスプレイ２０２ａの全面に表示される。
【０００７】
第２の筐体２０３には、第１の筐体２０２を保持するとともに、第１の筐体２０２を略円弧に回転させるための中心となる支軸２１１が具備されている。支軸２１１の先端２１１ａの外径は他の部分よりも大きくなっている。第１の筐体２０２には、支軸２１１の先端２１１ａに係合し、第１の筐体２０２を縦長状態から横長状態に略円弧状に回転自在とするガイド部２２１が設けられている。ガイド部２２１は、長手方向に伸びる溝で構成されている。
【０００８】
ユーザは、携帯電話機２０１を使用する際に、図３１に示す閉じた状態から、図３２に仮想線で示すように、第１の筐体２０２を時計回りに回転させながら、右方へスライド移動させる。すると、第１の筐体２０２が横長状態となり、第２の筐体２０３に具備された操作部２０４が露出し、横長の液晶ディスプレイ２０２ａを見ながら操作が可能となる。
【特許文献１】特開２００６−１１５１０９号公報
【特許文献２】特開２００３−３３８８６６号公報
【発明の開示】
【発明が解決しようとする課題】
【０００９】
上記特許文献２の携帯電話機においては、第２の筐体２０３は、縦長状態で第１の筐体２０２は横長状態とすることができるものの、第１の筐体２０２を横長状態に切り換えるために、両手で第１の筐体２０２を回転操作しなければならず、操作が煩雑であるという問題がある。
【００１０】
また、第１の筐体２０２は、１本の支軸２１１によって支持されているだけであるので、第１の筐体２０２がぐらつきやすく、回転時も不安定であり、ユーザが不安感を抱くという問題がある。
【００１１】
一方、上述したように、スライド式携帯端末は、その携帯性を保つために、サイズを大きくすることはできない。
【００１２】
本発明は、スライド式携帯端末において、サイズを大きくすることなく、第１の筐体を第２の筐体に対して安定してスライド移動自在に支持すると共に、縦長状態又は横長状態に切換操作自在に支持することにある。
【課題を解決するための手段】
【００１３】
上記の目的を達成するために、本発明では、第１の筐体を第２の筐体にスライド自在に支持する支持機構によって、第１の筐体を第２の筐体に対して回転自在に支持するようにした。
【００１４】
具体的には、第１の発明では、表面に上下方向に長い縦長の表示部を有する第１の筐体と、
表面に操作部を有する第２の筐体と、
上記第１の筐体を第２の筐体にスライド自在に支持する支持機構とを備えたスライド式携帯端末を対象とする。
【００１５】
そして、上記支持機構は、
上記第２の筐体側に設けた第１及び第２ガイド軸と、
上記第１の筐体側に設けられ、上記第１ガイド軸をガイドする第１ガイド孔と、
上記第１の筐体側に設けられ、上記第２ガイド軸をガイドする第２ガイド孔と、
を備え、上記第１の筐体を上記第２の筐体に対して表面から見て時計回り又は反時計回りに回転自在に支持している。
【００１６】
上記の構成によると、第１ガイド軸が第１ガイド孔に係止され、第２ガイド軸が第２ガイド孔に係止された状態で、第１の筐体が、第２の筐体にスライド移動自在に支持されると共に、回転自在に支持される。このため、１本の軸のみで支持するものに比べ、第１の筐体が第２の筐体に対して安定してスライド移動自在に支持されると共に、縦長状態又は横長状態に切換操作自在に支持される。また、同じ支持機構によって、第１の筐体をスライドさせると共に、第１の筐体を縦長状態から横長状態に切り換えるようにしているので、機構の一体化により、薄型化や部品点数の削減が行われる。
【００１７】
第２の発明では、第１の発明において、
上記第１ガイド孔は、上下方向に延びる直線状の孔で構成され、
上記第２ガイド孔は、上記第１ガイド孔に平行な直線部と、該直線部の下端に連続する円弧状の円弧部とを備えている。
【００１８】
上記の構成によると、第１ガイド軸が第１ガイド孔をスライド移動しながら、第２ガイド軸が第２ガイド孔の直線部をスライド移動することで、第１の筐体が第２の筐体に対してスライド移動する。そして、第１の筐体がスライド移動完了した状態で、第２ガイド軸が第２ガイド孔の円弧部をスライド移動することで、第１の筐体が第２の筐体に対して回転する。第１の筐体をスライドさせるガイド孔と、第１の筐体を縦長状態から横長状態に切り換えるガイド孔とを一体化することで、薄型化され、部品点数が減る。
【００１９】
第３の発明では、第２の発明において、
上記第１及び第２ガイド孔は、第１の筐体の裏面に設けたガイドプレートに形成されている。
【００２０】
上記の構成によると、ガイドプレートの定位置に第１及び第２ガイド孔が形成されているので、安定して第１の筐体のスライド移動及び回転が行われると共に、組立が容易である。また、第１の筐体をスライドさせるガイド孔と、第１の筐体を縦長状態から横長状態に切り換えるガイド孔とを一体化してガイドプレートに設けているので、薄型化され、部品点数が減る。
【００２１】
第４の発明では、第２又は第３の発明において、
上記第１ガイド軸が第１ガイド孔をスライド移動しながら、上記第２ガイド軸が第２ガイド孔の直線部をスライド移動することで、上記第１の筐体が第２の筐体に対してスライド移動し、
上記第１の筐体がスライド移動完了した状態で、第２ガイド軸が第２ガイド孔の円弧部をスライド移動することで、上記第１の筐体が第２の筐体に対して回転するように構成されている。
【００２２】
上記の構成によると、簡単且つコンパクトな構成で第１の筐体が第２の筐体に対して安定してスライド移動自在に支持されると共に、回転自在に支持される。
【００２３】
第５の発明では、第４の発明において、
上記第２ガイド軸が第２ガイド孔の円弧部内をスライド移動する際に、第１の筐体の回転の中心となる上記第１ガイド軸を保持するための支点保持部材が設けられている。
【００２４】
上記の構成によると、第１の筐体を回転させる際に第１ガイド軸が支点保持部材に支持されるので、第１の筐体が安定して回転する。
【００２５】
第６の発明では、第５の発明において、
上記支点保持部材は、
上記ガイドプレートに連結された中心軸と、
上記第１ガイド軸に係止されるフック部と、
上記第２ガイド軸が係止されるガイド溝とを備え、
上記フック部は、上記第１の筐体がスライド移動する際には上記第１ガイド軸に係合せず、第１の筐体が回転を始めると同時に第１ガイド軸に係合するように構成されている。
【００２６】
上記の構成によると、支点保持部材は、第１の筐体のスライド移動を阻害せず、回転が開始されたときには、そのフック部が第１ガイド軸に係合し、第２ガイド軸がガイド溝に係止されるので、第１の筐体が第２の筐体に対して安定して回転する。
【００２７】
第７の発明では、第６の発明において、
上記第２ガイド軸は、上記第１の筐体がスライド移動する際には上記支点保持部材の側面に摺接し、第１の筐体が回転を始めると同時に上記ガイド溝に係合するように構成されている。
【００２８】
上記の構成によると、支点保持部材が第１の筐体のスライド移動を阻害することはなく、また、スライド移動中に回転移動が行われることはないので、スライド操作が安定して行われる。さらに、第１の筐体が回転を始めると、第２ガイド軸がガイド溝に係合することで、支点保持部材が固定されると共に、第１の筐体が第１ガイド軸を中心に安定して回転される。
【００２９】
第８の発明では、第７の発明において、
上記第１の筐体が回転を始めるときの上記支点保持部材の中心軸を中心とする第１回転角は、第１の筐体の第２回転角よりも大きくなるように構成されている。
【００３０】
上記の構成によると、第１の筐体が回転を開始するときに、容易にフック部が第１ガイド軸に係止されると共に、第２ガイド軸がガイド溝に係合するので、安定して第１の筐体の回転操作を行うことができる。
【００３１】
第９の発明では、第４の発明において、
上記第１の筐体の縦長状態と横長状態とにおける左右方向中央部が、それぞれ第２の筐体の略左右方向中央に位置している。
【００３２】
上記の構成によると、第１の筐体が横長状態にあるときも、第２の筐体の略左右方向中央に位置しているので、見映えがよく、また、第２の筐体を手に持ったときにも、バランスがよくて操作がしやすい。
【００３３】
第１０の発明では、第１乃至第９のいずれか１つの発明において、
上記第１の筐体のスライド移動を補助するねじりコイルバネを有し、該ねじりコイルバネの一端は、上記第１又は第２ガイド軸に回転自在に支持され、他端は上記ガイドプレートに設けたバネ保持用ピンに回転自在に支持されている。
【００３４】
上記の構成によると、第１の筐体のスライド移動がねじりコイルバネによって補助されるので、第１の筐体のスライド移動が片手でも行え、操作が容易である。
【００３５】
第１１の発明では、第１０の発明において、
上記第１の筐体の上下方向のスライド移動の中間点において、上記ねじりコイルバネが最も圧縮されるように構成されている。
【００３６】
上記の構成によると、第１の筐体を上下にスライド移動させるときには、中間点を超えるまでは、ねじりコイルバネの付勢力に抗して移動させ、中間点を超えると、ねじりコイルバネに蓄えられていた圧縮力により、第１の筐体の移動が補助される。この補助は、上下のいずれの方向にスライドする場合にも行われる。
【００３７】
第１２の発明では、第１０又は第１１の発明において、
上記支持機構には、第１の筐体が少なくとも縦長状態又は横長状態となるように付勢する回転補助用弾性部材が設けられている。
【００３８】
上記の構成によると、弾性部材によって第１の筐体の回転が補助されるので、片手でも回転操作が容易に行われる。
【００３９】
第１３の発明では、第１２の発明において、
上記回転補助用弾性部材は、上記ねじりコイルバネとする。
【００４０】
上記の構成によると、回転補助用弾性部材とねじりコイルバネとを共用することができるので、部品点数が減ると共に、スライド式携帯端末がコンパクトなものとなる。
【００４１】
第１４の発明では、第１乃至第１３のいずれか１つの発明において、
スライド式携帯端末は、携帯電話機とする。
【００４２】
上記の構成によると、多機能で頻繁に携帯される携帯電話機が、コンパクトなものとなり、携帯性がよく、また、ユーザにより快適にスライド操作及び回転操作が行われる。
【発明の効果】
【００４３】
以上説明したように、本発明では、第１の筐体を第２の筐体に対してスライド自在に支持する支持機構によって、第１の筐体を第２の筐体に対して表面から見て時計回り又は反時計回りに回転自在に支持している。このため、第１の筐体のスライド移動と回転移動とを１つの支持機構で行うことができるので、薄型化及び部品点数の削減を行うことができる。また、２本のガイド軸をガイド孔にそれぞれ係止させているので、１本の軸のみで支持するものに比べ、第１の筐体を第２の筐体に対して安定してスライド移動自在に支持することができると共に、縦長状態又は横長状態に切換操作自在に支持することができる。
【発明を実施するための最良の形態】
【００４４】
以下、本発明の実施形態を図面に基づいて説明する。
【００４５】
図１に、本発明の実施形態にかかるスライド式携帯端末としての携帯電話機１の分解斜視図を示す。図２は、携帯電話機１の待機状態の正面図である。図３は、携帯電話機の第１の筐体をスライド移動させた状態を示す正面図である。図４は、第１の筐体が回転された横長状態を示す正面図である。図５〜図７に待機状態、スライド完了状態及び横長状態にある支持機構９を示す斜視図である。図８〜図１０に第１の筐体２の位置に対応する支持機構９を示す。
【００４６】
携帯電話機１は、縦長の液晶ディスプレイ２ａを有する第１の筐体２と、複数の操作キー４ａが設けられた操作部４を有する第２の筐体３とを備えている。携帯電話機１は、第１の筐体２を第２の筐体３に対して、上下方向にスライド移動自在に支持すると共に、縦長状態から横長状態に回転自在に支持する支持機構９を備えている。
【００４７】
この支持機構９は、例えば板金性のガイドプレート２０を備えている。第１の筐体２は、ガイドプレート２０の表面側に固定され、ガイドプレート２０と一体にスライド移動及び回転移動するように構成されている。
【００４８】
ガイドプレート２０は、第１ガイド孔２１と、該第１ガイド孔２１の下方に設けた第２ガイド孔２２を有している。一方、第２の筐体３の表面には、ガイドプレート２０を保持するための保持部材１０が一体的に設けられている。この保持部材１０には、それぞれ表面側へ突出し、第１ガイド孔２１に係合する第１ガイド軸１１と、第２ガイド孔２２に係合する第２ガイド軸１２とが設けられている。
【００４９】
第１ガイド孔２１は、上下に直線状に延び、第１の筐体２が閉じた位置において、第１ガイド軸１１は第１ガイド孔２１の上端に位置するようになっている。第２ガイド孔２２は、第１ガイド孔２１に平行に延び、該第１ガイド孔２１と略同じ長さの直線部２２ａを有している。この直線部２２ａの下端部から円弧状の円弧部２２ｂが延設されている。円弧部２２ｂは、第１ガイド孔２１の下端部を中心とする円弧形状を有している。
【００５０】
第１ガイド軸１１及び第２ガイド軸１２が、第１ガイド孔２１及び第２ガイド孔２２によってそれぞれ上下方向にガイドされながらスライド移動することで、ガイドプレート２０に取り付けられた第１の筐体２が、上下方向にスライド自在となっている。第１の筐体２が上端位置にスライド移動したとき、図３に示すように、第２の筐体３に設けられた操作部４が露出して操作が可能となっている。
【００５１】
ガイドプレート２０上には、第１の筐体２が縦長状態から横長状態に回転するときに、回転の支点となる第１ガイド軸１１を保持するための支点保持部材３０が設けられている。図１１に、この支点保持部材３０を裏面より見た斜視図を示す。支点保持部材３０は、中心軸３０ａを中心にガイドプレート２０上を回転自在に設けられている。支点保持部材３０の上端には、第１ガイド軸１１に係止するためのフック部３０ｂが設けられ、他端裏面には、第２ガイド軸１２と係合する略円弧状のガイド溝３０ｃが設けられている。すなわち、第２ガイド軸１２が第１ガイド軸１１を中心に回転する際には、第２ガイド軸１２は、円弧状の円弧部２２ｂに係合して該円弧部２２ｂに沿って移動するように構成されている。このため、ガイド溝３０ｃは、フック部３０ｂに係止された第１ガイド軸１１を中心とする円弧形状を有している。
【００５２】
図１２に第１の筐体２がスライド完了した状態から、縦長状態から横長状態に切り換わるときの支点保持部材３０の動きを示す。図１２の（ａ）は回転前の状態を示し、（ｂ）は回転開始直後の様子を示し、（ｃ）は回転途中の様子を示し、（ｄ）は回転が完了した状態を示す。支点保持部材３０は、第１の筐体２の第２回転角βよりも大きな第１回転角αを得られるように構成されている。すなわち、第１の筐体２が回転を始める第２回転角βにて、支点保持部材３０の一端に設けたフック部３０ｂが、第１の筐体２の回転中心の支点となる第１ガイド軸１１を保持するまでの回転角を得られるようになっている。また、ガイド溝３０ｃは、第１の筐体２をさらに回転させたときでも、第２ガイド軸１２を保持した状態を保つように設けられている。このことで、第１の筐体２は安定した回転を保つことが可能となる。
【００５３】
ガイドプレート２０上には、第１の筐体２をスライド移動させる際に、スライド操作を補助するねじりコイルバネ４０が設けられている。このねじりコイルバネ４０の一端４０ａは、第１ガイド軸１１に回転自在に保持され、他端４０ｂは、ガイドプレート２０の所定位置に設けたバネ支持ピン２３に回転自在に保持されている。ねじりコイルバネ４０は、第１の筐体２が上下方向にスライドする中間点において、最も圧縮され、この中間点よりも上下いずれかの方向にずれると、圧縮されたねじりコイルバネ４０の反力によって、第１の筐体２がスライド移動するのを補助するように配置されている。
【００５４】
詳しくは図示しないが、ガイドプレート２０には、第１の筐体２が縦長状態から横長状態に回転移動する過程において、任意の位置まで回転されたときに最も圧縮され、この最圧縮位置より横長状態に向かっては圧縮反力によって、第１の筐体を横長状態に回転させようと付勢する、回転補助用の弾性部材が設けられている。例えば、この回転補助用弾性部材により、少なくともガイド溝３０ｃ内にあるときの第２ガイド軸１２を付勢するようにすればよい。
【００５５】
−携帯電話機の作動−
次に携帯電話機１の作動について説明する。
【００５６】
まず、図２に示すように、待機状態では、第１の筐体２と第２の筐体３とが重なり合っている。図５及び図８に示すように、第１ガイド軸１１は、第１ガイド孔２１の上端に位置し、第２ガイド軸１２は、第２ガイド孔２２の上端に位置している。
【００５７】
次いで、図３に示すように、第１の筐体２をスライド移動させて操作部４を使用可能なスライド完了状態とする。すなわち、ねじりコイルバネ４０の付勢力に抗して第１の筐体２を上方向に移動させる。第１ガイド軸１１が第１ガイド孔２１の中間点に来たときに、ねじりコイルバネ４０が最も圧縮される。この中間点を超えると、圧縮されていたねじりコイルバネ４０の付勢力で第１の筐体２が上方向にスライド移動するのが補助される。そして、図６及び図９に示すように、第１の筐体２が第２の筐体３の上端に移動し、操作部４が使用可能となる。この間、第１の筐体２のスライド移動によって第１ガイド軸１１は、第１ガイド孔２１の下端に移動し、第２ガイド軸１２は、第２ガイド孔２２の直線部２２ａの下端へ移動する。このとき、第２ガイド軸１２は、支点保持部材３０の側面に摺接しながら（又は若干距離をあけて）通過するため、第１の筐体２が上下方向にスライド移動する際は、回転移動は行われないように規制されている。
【００５８】
次いで、第１の筐体２を時計回りに回転させて横長状態とする。図１２（ａ）に示すように、回転開始前には、第２ガイド軸１２が支点保持部材３０の側面に当接しているため、中心軸３０ａを中心に回転することはできない。このスライド完了状態から第１の筐体２を時計回りに回転させると、第１の筐体２に一体的に設けたガイドプレート２０も同じく回転される。
【００５９】
図１２（ｂ）に示すように、第１の筐体２が若干回転されると、第２ガイド軸１２が支点保持部材３０の側面から離れ、支点保持部材３０は中心軸３０ａを中心に回転自在となる。このとき、支点保持部材３０の中心軸３０ａを中心とする第１回転角αは、第１の筐体２の第２回転角βよりも大きくなるように構成されている。具体的には、本実施形態では、α＝４°、β＝３°となっている。このため、容易に第２ガイド軸１２は、ガイド溝３０ｃと係合し、第１ガイド軸１１が支点保持部材３０のフック部３０ｂに係合する。すると、ユーザが回転の途中でスライド方向に負荷を与えても、第１ガイド軸１１が、支点保持部材３０のフック部３０ｂによって保持されていることより、スライド移動が行われないように保持されている。
【００６０】
図１２（ｃ）のように、第１の筐体２をさらに回転させたとき、第１回転角αは８°に固定され、フック部３０ｂが第１ガイド軸１１を保持したまま、第２ガイド軸１２がガイド溝３０ｃに係合した状態で回転が継続される。図示しない回転補助用のねじりコイルバネは、この時点で最も圧縮される。
【００６１】
次いで、さらに回転させると、回転補助用ねじりコイルバネの付勢力に補助されて図１２（ｄ）の状態を経て第１の筐体２が横長状態に切り換わる。
【００６２】
逆に、第１の筐体２を縦長状態に戻す場合には、上記と逆の操作が行われる。再び図１２（ａ）の縦長状態となると、ガイド溝３０ｃと第２ガイド軸１２との係合が解除され、第１ガイド軸１１とフック部３０ｂとの係合がはずれることによって、第１の筐体２はスライド移動が可能となる。
【００６３】
このように、ガイド溝３０ｃは、第１の筐体２が回転を始めるとともに、フック部３０ｂが第１ガイド軸１１を保持し、第１の筐体２がどの回転角βであっても、フック部３０ｂが第１ガイド軸１１を保持した状態を保つように配置されている（α＝８°一定）。支点保持部材３０は、第１の筐体２の回転中、回転中心となる第１ガイド軸１１の保持を行い、第１の筐体２を横長状態に切り換えが完了した位置まで安定した回転が行われる。
【００６４】
−実施形態１の効果−
したがって、本発明の実施形態にかかる携帯電話機１によると、第１の筐体２を第２の筐体３に対してスライド自在に支持する支持機構９によって、第１の筐体２を第２の筐体３に対して表面から見て時計回りに回転自在に支持している。このため、第１の筐体２のスライド移動と回転移動とを１つの支持機構９で行うことができるので、薄型化及び部品点数の削減を行うことができる。また、２本のガイド軸１１，１２をガイド孔２１，２２にそれぞれ係止させているので、１本の軸のみで支持するものに比べ、第１の筐体２を第２の筐体３に対して安定してスライド移動自在に支持することができると共に、縦長状態又は横長状態に切換操作自在に支持することができる。
【００６５】
（実施形態２）
図１３〜図２７は本発明の実施形態２を示し、主に支点保持部材３０が設けられていない点で上記実施形態１と異なる。なお、以下の各実施形態では、図１〜図１２と同じ部分については同じ符号を付してその詳細な説明は省略する。
【００６６】
図１３に示すように、横長状態の第１の筐体２は、第２の筐体３の左右中央に位置している。図１４に本発明の構成を示す分解斜視図を示し、図１５〜図１７に第１の筐体２を一部破断して支持機構９を示す。図１８は、閉じた状態の支持機構を示す側方断面図である。図２５〜図３０は、第１の筐体２の切換による変化の様子を示す正面図である。
【００６７】
本実施形態における第１の筐体２の縦長状態と横長状態とにおける左右方向中央部は、それぞれ第２の筐体３の略左右方向中央に位置している。また、ねじりコイルバネ４０の一端４０ａは、第２ガイド軸１２に回転自在に保持され、他端４０ｂは、ガイドプレート２０上のバネ支持ピン２３に回転自在に保持されている。バネ支持ピン２３は、第１ガイド孔２１と第２ガイド孔２２の直線部２２ａとの間に位置する。また、ねじりコイルバネ４０は、第１の筐体２が縦長状態又は横長状態となるように付勢する回転補助用弾性部材を兼ねている点で上記実施形態１と異なる。
【００６８】
−携帯電話機の作動−
次に、第１の筐体２のスライド移動及び回転移動について、上記実施形態１と異なる点を中心に説明する。
【００６９】
図１９に示すように、第１の筐体２を上下方向にスライド始めたとき、第１ガイド孔２１及び第２ガイド孔２２と、第１ガイド軸１１及び第２ガイド軸１２との係合によって上下方向へのスライド移動が可能となる。
【００７０】
ガイドプレート２０に回転自在に具備されたねじりコイルバネ４０は、図２０に示すように、上下方向へのスライド移動によって保持される位置が変化してガイドプレート２０上で回転され、最圧縮位置となる図２１に示す中間点を通過すると、圧縮反力によって、第１の筐体２は図２２を経て、図２３のスライド完了状態となる。
【００７１】
ねじりコイルバネ４０は、第１の筐体２の上下方向へのスライド移動によって、保持される位置が変化してガイドプレート２０上で回転されるが、第１の筐体２がどの位置であっても、第１ガイド軸１１と第２ガイド軸１２の間に位置し、スライド動作を阻害することなく、スライド移動を補助する。
【００７２】
すなわち、ガイドプレート２０に設けたねじりコイルバネ４０を支持するのバネ支持ピン２３は、第１の筐体２の上下方向へのスライド移動によって、同じく上下方向に移動し、ねじりコイルバネ４０は、第１ガイド軸１１に接近することになるが、ねじりコイルバネ４０の一端４０ａを支持する第２ガイド軸１２によって、上下方向への移動が規制される。このため、ねじりコイルバネ４０は、ガイドプレート２０上で回転し、第１ガイド軸１１に干渉することがない。
【００７３】
図２４〜図２７は、第１の筐体２がスライド完了した状態より、横長状態に切り換わる動作一連を示す。図２５は、ねじりコイルバネ４０が、最も圧縮された位置を示す。
【００７４】
図２５に示すように、第１の筐体２を略円弧に回転させたとき、第１ガイド軸１１は、第１ガイド孔２１に沿って若干上方へ移動し、第２ガイド軸１２は、第２ガイド孔２２に沿って円弧状に移動することで、第１ガイド孔２１と第２ガイド孔２２との位置関係によって、第１の筐体２は略円弧状に回転する。このとき、本実施形態では、第１の筐体２は、第２の筐体３に対して右方へ移動して左右中央位置に近づけることが可能となっている。
【００７５】
図２５の位置、すなわちねじりコイルバネ４０が、最圧縮された位置に到達すると、ねじりコイルバネ４０の圧縮反力によって、第１の筐体２は、横長状態に強制的に回転させられ、図２６の状態を経て、図２７の回転完了位置となる。
【００７６】
ねじりコイルバネ４０は、ガイドプレート２０上に設けられ、第１の筐体２の略円弧状の回転によって、ガイドプレート２０とともに回転する。このことより、ねじりコイルバネ４０は、保持される位置が変化しながら、ガイドプレート２０上で回転し、第１の筐体２がどの位置であっても、第１ガイド軸１１と第２ガイド軸１２に干渉せず、回転動作を阻害するのを防止しながら、第１の筐体２の回転移動を補助する。
【００７７】
−実施形態２の効果−
したがって、本実施形態にかかる携帯電話機１によると、第１の筐体２の縦長状態と横長状態とにおける左右方向中央部をそれぞれ第２の筐体３の略左右方向中央に位置させている。このため、第１の筐体２が横長状態にあるときも、第２の筐体３の略左右方向中央に位置しているので、見映えがよく、また、第２の筐体３を手に持ったときにも、バランスがよくて操作がしやすい。
【００７８】
さらに、１つのねじりコイルバネ４０によって、第１の筐体２のスライド移動と回転移動とを補助するようにしているので、部品点数が減り、さらにコンパクトな携帯電話機１が得られる。
【００７９】
（その他の実施形態）
本発明は、上記実施形態について、以下のような構成としてもよい。
【００８０】
すなわち、上記各実施形態では、第１の筐体２は、時計回りに回転自在としたが、反時計回りに回転自在としてもよい。その場合には、第１ガイド孔２１と第２ガイド孔２２とを左右反転して設ければよい。
【００８１】
また、第１の筐体２を時計回り及び反時計回りのいずれの方向にも回転自在としてもよい。その場合には、第２ガイド孔を左右対称の円弧部を有する略いかり形状のものとすればよい。
【００８２】
上記実施形態では、第１の筐体２は液晶ディスプレイ２ａを有しているとしたが、有機ＥＬディスプレイを有していてもよい。有機ＥＬディスプレイは、自発光を発するため消費電力が小さく、液晶ディスプレイに比べて視野角が広く、且つバックライトを必要としないため、薄型化が可能である。
【００８３】
上記実施形態では、スライド式携帯端末は、携帯電話機１としたが、ＰＣ、ＰＨＳ、ＰＤＡ、モバイルツール、電子辞書、電卓、複写機等であってもよい。
【００８４】
なお、以上の実施形態は、本質的に好ましい例示であって、本発明、その適用物や用途の範囲を制限することを意図するものではない。
【図面の簡単な説明】
【００８５】
【図１】本発明の実施形態１にかかる携帯電話機の分解斜視図である。
【図２】携帯電話機の閉じた状態を示す正面図である。
【図３】第１の筐体をスライド移動させた状態を示す正面図である。
【図４】第１の筐体が横長状態にある状態を示す正面図である。
【図５】閉じた状態にある携帯電話機の第１の筐体を破断して支持機構を示す斜視図である。
【図６】スライド移動した携帯電話機の第１の筐体を破断して支持機構を示す斜視図である。
【図７】横長状態にある携帯電話機の第１の筐体を破断して支持機構を示す斜視図である。
【図８】閉じた状態にある携帯電話機の支持機構を示し、（ａ）が側方断面図で、（ｂ）が正面図である。
【図９】スライドした状態にある携帯電話機の図８相当図である。
【図１０】横長状態にある携帯電話機の図８相当図である。
【図１１】支点保持部材を裏面から見た斜視図である。
【図１２】支点保持部材が見えるようにした携帯電話機を示す正面図であり、（ａ）は回転前の状態を示し、（ｂ）は回転開始直後の様子を示し、（ｃ）は回転途中の様子を示し、（ｄ）は回転が完了した状態を示す。
【図１３】本発明の実施形態２にかかる携帯電話機の横長状態を示す正面図である。
【図１４】携帯電話機の分解斜視図である。
【図１５】閉じた状態にある携帯電話機の第１の筐体を破断して支持機構を示す斜視図である。
【図１６】スライド移動した携帯電話機の第１の筐体を破断して支持機構を示す斜視図である。
【図１７】横長状態にある携帯電話機の第１の筐体を破断して支持機構を示す斜視図である。
【図１８】閉じた状態にある携帯電話機の支持機構を示す側方断面図である。
【図１９】閉じた状態にある携帯電話機の支持機構を示す正面図である。
【図２０】第１の筐体を若干スライド移動させた状態にある図１９相当図である。
【図２１】第１の筐体を中間点までスライド移動させた状態にある図１９相当図である。
【図２２】第１の筐体を中間点からさらにスライド移動させた状態にある図１９相当図である。
【図２３】第１の筐体を上端までスライド移動させた状態にある図１９相当図である。
【図２４】第１の筐体を若干回転させた状態にある図１９相当図である。
【図２５】第１の筐体を中間点まで回転させた状態にある図１９相当図である。
【図２６】第１の筐体をさらに回転させた状態にある図１９相当図である。
【図２７】第１の筐体が横長状態にある図１９相当図である。
【図２８】従来技術にかかる携帯電話機の閉じた状態を示し、（ａ）は正面図で、（ｂ）は側面図である。
【図２９】第１の筐体をスライド移動させた状態を示す図２８相当図である。
【図３０】従来技術にかかる携帯電話機の分解斜視図である。
【図３１】別の従来技術にかかる携帯電話機の閉じた状態を示し、（ａ）は正面図で、（ｂ）は側面図である。
【図３２】第１の筐体をスライド移動させた状態を示す図３１相当図である。
【図３３】別の従来技術にかかる携帯電話機の分解斜視図である。
【符号の説明】
【００８６】
１      携帯電話機（スライド式携帯端末）
２      第１の筐体
２ａ    液晶ディスプレイ（表示部）
３      第２の筐体
４      操作部
９      支持機構
１０      保持部材
１１      第１ガイド軸
１２      第２ガイド軸
２０      ガイドプレート
２１      第１ガイド孔
２２      第２ガイド孔
２２ａ    直線部
２２ｂ    円弧部
２３      バネ支持ピン
３０      支点保持部材
３０ａ    中心軸
３０ｂ    フック部
３０ｃ    ガイド溝
４０      ねじりコイルバネ
４０ａ    一端
４０ｂ    他端
【図１】
2008193519.tif 000003
【図２】
2008193519.tif 000004
【図３】
2008193519.tif 000005
【図４】
2008193519.tif 000006
【図５】
2008193519.tif 000007
【図６】
2008193519.tif 000008
【図７】
2008193519.tif 000009
【図８】
2008193519.tif 000010
【図９】
2008193519.tif 000011
【図１０】
2008193519.tif 000012
【図１１】
2008193519.tif 000013
【図１２】
2008193519.tif 000014
【図１３】
2008193519.tif 000015
【図１４】
2008193519.tif 000016
【図１５】
2008193519.tif 000017
【図１６】
2008193519.tif 000018
【図１７】
2008193519.tif 000019
【図１８】
2008193519.tif 000020
【図１９】
2008193519.tif 000021
【図２０】
2008193519.tif 000022
【図２１】
2008193519.tif 000023
【図２２】
2008193519.tif 000024
【図２３】
2008193519.tif 000025
【図２４】
2008193519.tif 000026
【図２５】
2008193519.tif 000027
【図２６】
2008193519.tif 000028
【図２７】
2008193519.tif 000029
【図２８】
2008193519.tif 000030
【図２９】
2008193519.tif 000031
【図３０】
2008193519.tif 000032
【図３１】
2008193519.tif 000033
【図３２】
2008193519.tif 000034
【図３３】
2008193519.tif 000035